(57)【要約】【課題】ケーブルや冷媒管の配設作業を合理化し、工事全体の施工期間を短縮することができる上下ベンド自在屋根形カバーを提供する。【解決手段】ラックＰの直線部分を覆う一対の直線部被覆体１０を設ける。この直線部被覆体１０は、幅員中央部がラックＰの長手方向に沿って持ち上がった断面略山形状を成す。直線被覆体１０相互の間に揺動自在に連結され、ラックＰの屈曲した連結部分を覆う屈曲部被覆体２０を設ける。この屈曲部被覆体２０は断面略倒コ字状を成している。屈曲部被覆体２０の側面に装着する屈曲部被覆体２０をラックＰの屈曲角度に合わせて複数種類形成する。ラックＰの屈曲角度に応じて隙間被覆体３０を選択し屈曲部被覆体２０に装着するように設ける。【選択図】  図４
2006211860.tif 000002
【特許請求の範囲】
【請求項１】
上下に屈曲するように連結されたラックの連結部分を施蓋する屋根形カバーにおいて、ラックの直線開口部を覆う一対の直線部被覆体と、該直線部被覆体相互の間に揺動自在に連結され、ラックの連結部分を覆う屈曲部被覆体と、ラックの屈曲角度に合わせて複数種類形成されて屈曲部被覆体の側面に装着する隙間被覆体とを設け、ラックの屈曲角度に応じて隙間被覆体を選択し屈曲部被覆体に装着するように設けたことを特徴とする上下ベンド自在屋根形カバー。
【請求項２】
前記隙間被覆体は、連結したラックの連結角度が水平から垂直までの角度に対応するように複数種類設けられた請求項１記載の上下ベンド自在屋根形カバー。
【請求項３】
前記直線部被覆体は、幅員中央部がラックの長手方向に沿って持ち上がった断面略山形状を成し、前記屈曲部被覆体は断面略倒コ字状を成し、該屈曲部被覆体の屈曲された側板と前記隙間被覆体とを貫通する連結部材にて、隙間被覆体が屈曲部被覆体に着脱自在に装着される請求項１又は２記載の上下ベンド自在屋根形カバー。
【請求項４】
前記直線部被覆体の幅員中央部が持ち上がった連結端部に固定する固定片が設けられ、該固定片に設けた蝶番又はヒンジを介して屈曲部被覆体と直線部被覆体とを揺動自在に連結した請求項１乃至３いずれか記載の上下ベンド自在屋根形カバー。
【請求項５】
前記直線部被覆体の幅員中央部が持ち上がった連結端部を潰して平板状に形成し、該連結端部と前記屈曲部被覆体の連結端部とに設けた蝶番又はヒンジを介して直線部被覆体と屈曲部被覆体とを揺動自在に連結した請求項１乃至３いずれか記載の上下ベンド自在屋根形カバー。
【発明の詳細な説明】
【技術分野】
【０００１】
本発明は、ケーブルを収納するケーブルラックや冷媒管を収納する冷媒管ラック（以下、総称してラックと称する）の開口部を施蓋する屋根形カバーであり、特に水平から上方に屈曲するように連結されたラックの屈曲部からはみ出たケーブル等を覆うことができる上下ベンド自在屋根形カバーに関するものである。
【背景技術】
【０００２】
ラック内に収納した各種のケーブルや冷媒管を保護するために、ラックの開口上部を施蓋するラックカバーが使用されている。この種のラックカバーには、主に室内で用いられる平形カバーと、室外で用いられる屋根形カバーとがある。
【０００３】
室外で屋根形カバーを使用する場合、紫外線による劣化の防止や、鳥など小動物の侵入防止のため、ラックの開口部全面を覆うように設置される。このラックが上下に屈曲するように設置される部分は、上下自在継ぎ金具でラック相互が連結され、この上下自在継ぎ金具の角度に合わせた屋根形カバーでラックの連結部分を施蓋している。
【０００４】
この屋根形カバーにおいて、上下自在継ぎ金具Ｔの屈曲角度が15゜，30゜，45゜，60゜に設置される場合、予めこれらの角度に合わせて製造された上下ベンド屋根形カバー２００を選択して使用している（図９参照）。この上下ベンド屋根形カバー２００は、山折状カバー２１０と谷折状カバー２２０と短尺カバー２３０とを組み合わせ、所定の屈曲角度に合わせて使用するものである。
【０００５】
一方、上下自在継ぎ金具の屈曲角度が前記の角度以外に設置されている場合は、特許文献１に記載された上下ベンド自在屋根形カバーが使用される。この上下ベンド自在屋根形カバーは、当出願人が先に提案した屋根形カバーであり、上下方向へ任意な角度に屈曲調整可能としたものである。この上下ベンド自在屋根形カバーでは、カバー体の幅員中央部が持ち上がった連結端部を塞ぐ固定金具と蝶番とを組み合わせることで、屋根形カバーの上下屈曲角度を自由に調整できるようにしたものである。
【特許文献１】特開２００３−２５９５２６号公報
【発明の開示】
【発明が解決しようとする課題】
【０００６】
ところが、前述した各種の屋根形カバーを使用しても、ラックが連結された屈曲部分からラックの開口上方向に、ケーブルや冷媒管の屈曲部分がはみ出ることがある（図１０参照）。例えば、径の太いケーブルを屈曲してラックの屈曲部に収納する際に、ケーブルの硬さが影響してラックの屈曲角度に沿って曲げられない場合や、内線規定で定義されているケーブルの曲げ半径が、実際に施工したラックの屈曲部分に収まらない場合などである。
【０００７】
図１０に示すように、ケーブル等の収納部材Ｑの屈曲部分がラックＰの屈曲部分に収まらない場合に、前述した上下ベンド屋根形カバーや上下ベンド自在屋根形カバー３００などの各種の屋根形カバーを使用すると、屋根形カバーの屈曲部分がケーブルや冷媒管の屈曲部分に突き当たり、屋根形カバーが浮き上がった状態になる。すると、屋根形カバーの浮き上がった側面に大きな隙間が生じてしまう。この隙間から酸性雨、紫外線、鳥などの小動物等が侵入すると、ケーブルや冷媒管の被覆材が劣化し、思わぬ事故が発生する虞が生じる。
【０００８】
このように、ケーブルや冷媒管の屈曲部がラックの連結部分に収まらない場合、前述のような各種屋根形カバーを使用することができない。そのため、従来では、特殊な屋根形カバーを、その都度、施工状況に応じて製作していた。この特殊な屋根形カバーの製作作業は、施工現場において、ラックに配設したケーブルや冷媒管を実測した後に行うことになる。このため、特殊な屋根形カバーを予め製作しておくことができない不都合がある。この結果、特殊な屋根形カバーの製作作業が、ケーブルや冷媒管の施工能率を著しく損ねると共に、工事全体における施工期間の遅延化の原因にもなっていた。
【０００９】
そこで本発明は上述の課題を解消すべく創出されたもので、ケーブルや冷媒管の配設作業を合理化し、工事全体の施工期間を短縮することができる上下ベンド自在屋根形カバーの提供を目的とするものである。
【課題を解決するための手段】
【００１０】
上述の目的を達成すべく本発明における第１の手段は、上下に屈曲するように連結されたラックＰの連結部分を施蓋する屋根形カバーにおいて、ラックＰの直線開口部を覆う一対の直線部被覆体１０と、該直線部被覆体１０相互の間に揺動自在に連結され、ラックＰの連結部分を覆う屈曲部被覆体２０と、ラックＰの屈曲角度に合わせて複数種類形成されて屈曲部被覆体２０の側面に装着する屈曲部被覆体２０とを設け、ラックＰの屈曲角度に応じて隙間被覆体３０を選択し屈曲部被覆体２０に装着するように設けたことにある。
【００１１】
第２の手段の前記隙間被覆体３０は、連結したラックＰの連結角度が水平から垂直までの角度に対応するように複数種類設けられたものである。
【００１２】
第３の手段における前記直線部被覆体１０は、幅員中央部がラックＰの長手方向に沿って持ち上がった断面略山形状を成し、前記屈曲部被覆体２０は断面略倒コ字状を成し、該屈曲部被覆体２０の屈曲された側板２３と前記隙間被覆体３０とを貫通する連結部材５０にて、隙間被覆体３０が屈曲部被覆体２０に着脱自在に装着されている。
【００１３】
第４の手段は、前記直線部被覆体１０の幅員中央部が持ち上がった連結端部１１に固定する固定片１２が設けられ、該固定片１２に設けた蝶番４０又はヒンジ１３,２２を介して屈曲部被覆体２０と直線部被覆体１０とを揺動自在に連結されている。
【００１４】
第５の手段は、前記直線部被覆体１０の幅員中央部が持ち上がった連結端部１１を潰して平板状に形成し、該連結端部１１と前記屈曲部被覆体２０の連結端部２１とに設けた蝶番４０又はヒンジ１３,２２を介して直線部被覆体１０と屈曲部被覆体２０とを揺動自在に連結したことを課題解消のための手段とする。
【発明の効果】
【００１５】
本発明の請求項１により、ラックＰの屈曲部分からはみ出た収納部材Ｑを屈曲部被覆体２０と隙間被覆体３０とで被覆できるので、これまで施工現場においてラックＰに配設したケーブルや冷媒管を実測した後に行うといった、特殊な屋根形カバーの製作は必要なくなった。この結果、ケーブルや冷媒管の配設作業を合理化し、工事全体の施工期間を短縮することができるものである。
【００１６】
請求項２により、複数種類設けられた隙間被覆体３０を選択することにより、連結したラックＰの連結角度が水平から垂直までのいずれの角度でも、確実に対応させることが可能になった。しかも、屈曲部被覆体２０とラックＰとの間に生じる隙間を遮蔽するのに最も適した隙間被覆体３０を選択することで、該隙間被覆体３０がラックＰなどに干渉されずに隙間のみを効果的に遮蔽することができる。
【００１７】
請求項３では、屈曲部被覆体２０の屈曲された側板２３と隙間被覆体３０とを貫通する連結部材５０にて、隙間被覆体３０を屈曲部被覆体２０に着脱自在に装着できるので、隙間被覆体３０の装着作業が容易になる。この結果、ラックＰの連結角度に適応した隙間被覆体３０を選択して装着することも容易に行える。
【００１８】
請求項４において、直線部被覆体１０の連結端部１１に固定した固定片１２が該連結端部１１を補強しているので、蝶番４０又はヒンジ１３,２２を介して連結する際の連結強度を高めることができる。
【００１９】
請求項５により、平板状に形成した直線部被覆体１０の連結端部１１に、蝶番４０又はヒンジ１３を直接設けているので、本発明屋根形カバーの製造工程を簡略化することが可能になる。
【００２０】
このように、本発明によると、ケーブルや冷媒管の配設作業を合理化し、工事全体の施工期間を短縮することができるなどといった種々の効果を奏するものである。
【発明を実施するための最良の形態】
【００２１】
本発明システムの最良の形態は、ラックＰの直線部分を覆う一対の直線部被覆体１０を設ける。この直線部被覆体１０は、幅員中央部がラックＰの長手方向に沿って持ち上がった断面略山形状を成す。また、直線被覆体１０相互の間に揺動自在に連結され、ラックＰの屈曲した連結部分を覆う屈曲部被覆体２０を設ける。この屈曲部被覆体２０は断面略倒コ字状を成している。更に、屈曲部被覆体２０の側面に装着する屈曲部被覆体２０をラックＰの屈曲角度に合わせて複数種類形成する。ラックＰの屈曲角度に応じて隙間被覆体３０を選択し屈曲部被覆体２０に装着するように設ける。連結したラックＰの連結角度が水平から垂直までの範囲に対応するように複数種類の隙間被覆体３０を設ける。屈曲部被覆体２０の屈曲された側板２３と前記隙間被覆体３０とを貫通する連結部材５０にて、隙被覆体３０が屈曲部被覆体２０に着脱自在に装着されるように設けることより、当初の目的を達成するものである。
【実施例】
【００２２】
以下、本発明の一実施例を説明する。本発明屋根形カバーは、直線部被覆体１０、屈曲部被覆体２０、隙間被覆体３０の構成部材を組み合わせたもので（図1、図２参照）、上下に屈曲するように連結したラックＰの開口部を施蓋する（図４参照）。ラックＰが上下に屈曲するように連結するには、上下自在継ぎ金具Ｔを使用してラックＰの連結端部を連結する。また、本発明屋根形カバーのサイズは、図３（イ）に示す如く、幅員が広いラックＰに適応するため幅広に形成したり、復員の狭いラックＰ用に復員を狭くしたりすることも可能である（同図（ロ）参照）。
【００２３】
直線部被覆体１０は、ラックＰの直線部分を覆う部材で、後述する屈曲部被覆体２０を間に挟むように一対使用する（図１参照）。この直線部被覆体１０の断面構造は、従来の屋根形カバー１００と同じ形状で、幅員中央部がラックＰの長手方向に沿って持ち上がった断面略山形状を成している。そして、従来の屋根形カバー１００の長手端部上に、この直線部被覆体１０を重ねて設置する。また、直線部被覆体１０の左右側縁部には、図８に示す屋根形カバー１００の屈曲片１１０に被せる屈曲片１４を設けている（図２参照）。更に、この直線部被覆体１０の各部には、ボルト挿通孔１５を開穿してあり、従来の屋根形カバー１００や上下ベンド屋根形カバー２００などを固定する止着ボルトＲや係止フック（図示せず）、カバー止め金具Ｓなどを用いてラックＰに固定するものである（図９参照）。
【００２４】
屈曲部被覆体２０は、該直線部被覆体１０相互の間に揺動自在に連結されてラックＰの連結部分を覆う部材である（図２参照）。この屈曲部被覆体２０は、略平板状を成しており、蝶番４０や（図１、図４参照）、ヒンジ１３,２２を介して直線部被覆体１０に揺動自在に連結されている（図６、図８参照）。
【００２５】
図１に示す屈曲部被覆体２０は、直線部被覆体１０の連結端部１１に固定した固定部材１２と、該固定部材１２に設けた蝶番４０を介して直線部被覆体１０に連結している。この固定部材１２は、直線部被覆体１０の断面山形状を成した連結端部１１と、屈曲部被覆体２０の平板状を成した連結端部２１とを接続するための部材で、連結端部１１の下面に接合する接合片１２Ａと、連結端部２１の開口部を封止する略三角形状の連結片１２Ｂとから成る。そして、この連結片１２Ｂに固定した蝶番４０を屈曲部被覆体２０の連結端部２１に固定している。
【００２６】
図６に示す直線部被覆体１０は、蝶番４０に変えてヒンジ１３,２２を用いている。これらのヒンジ１３,２２は、固定部材１２の連結片１２Ｂに設けたヒンジ１３と、屈曲部被覆体２０の連結端部２１に設けたヒンジ１３とを組み合わせたものである。
【００２７】
図７、図８に示す直線部被覆体１０は、直線部被覆体１０の連結端部１１を潰して平板状に形成したものであり、このような平板状の連結端部１１に蝶番４０又はヒンジ１３を設けたものである。すなわち、図７は、平板状の連結端部1１に蝶番４０を固定し、この蝶番４０を屈曲部被覆体２０の連結端部２１に固定している。一方、図８は、連結端部1１にヒンジ１３を設け、屈曲部被覆体２０の連結端部２１に設けたヒンジ２２と連結している。
【００２８】
隙間被覆体３０は、ラックＰの連結角度が水平から垂直までの各角度に対応するように複数種類設けられている。すなわち、図２に示す隙間被覆体３０は、１本の水平側縁３１と一対の垂直側縁３２と一対の角度調整側縁３３とからなる五角形状を成している。そして、角度調整側縁３３相互が接する角度を変えることで、ラックＰの連結角度が０度から１５度までの範囲に対応する隙間被覆体３０と（同図イ参照）、３０度から４５度までの範囲に対応する隙間被覆体３０と（同図ロ参照）、８０度から９０度までの範囲に対応する隙間被覆体３０と（同図ハ参照）が示されている。
【００２９】
また、図示していないが、角度調整側縁３３の接触角度を更に変更し、ラックＰの連結角度が０度から９０度までの範囲に対応するように、１０度から１５度ごとに異なる９種類の隙間被覆体３０を設けることで、連結角度に最適な隙間被覆体３０を選択することができる。また、１０度から１５度ごとに設けた隙間被覆体３０によると、選択した隙間被覆体３０がラックＰなどに干渉されずに隙間のみを効果的に遮蔽することができる。例えば、連結されたラックＰには、親桁Ｐ１相互を屈曲自在に連結する上下自在継ぎ金具Ｔの側面に連結ボルトＴ１などが突出している（図４参照）。この連結ボルトＴ１に隙間被覆体３０が接触すると、隙間被覆体３０と親桁Ｐ１との間に新たな隙間が生じてしまう。そこで、この連結ボルトＴ１に接触しないように、１０度から１５度ごとに９種類の隙間被覆体３０を用意しておくことで、ラックＰと屈曲部被覆体２０との隙間のみを有効に遮蔽できるものである。
【００３０】
隙間被覆体３０は、断面略倒コ字状を成した屈曲部被覆体２０の側板２３に装着するもので、図示例では、連結部材５０を用いて装着している。図示の連結部材５０は、屈曲部被覆体２０の側板２３と隙間被覆体３０とを貫通する連結ボルト５１及びクリップナット５２と座金５３で連結部材５０を構成している（図５参照）。このような連結部材５０を使用することで、複数種類の中から選択した隙間被覆体３０を簡単に装着することが可能になるものである。
【００３１】
このように装着された隙間被覆体３０と屈曲部被覆体２０とにより、ラックＰの連結部分からラックＰの開口部方向にはみ出た収納部材Ｑを被覆する（図４参照）。図示の隙間被覆体３０は、図２で示す各隙間被覆体３０を装着した例を示したもので、同図（イ）はラックＰの連結角度が０度から１５度までの範囲に対応する隙間被覆体３０、同図（ロ）は３０度から４５度までの範囲に対応する隙間被覆体３０、同図（ハ）は８０度から９０度までの範囲に対応する隙間被覆体３０の装着例をそれぞれ示している。
【００３２】
尚、本発明は、図示例に限定されるものではなく、各構成の寸法や形状等の設計変更、および材質の変更など任意に行えるものであり、本発明の要旨を変更しない範囲において従来技術を自由に置換できるものである。
【図面の簡単な説明】
【００３３】
【図１】本発明の一実施例を示す平面図である。
【図２】（イ）乃至（ハ）は本発明の一実施例を示す側面図である。
【図３】本発明の使用状態を示す平面図である。
【図４】（イ）乃至（ハ）は本発明の使用状態を示す側面図である。
【図５】本発明の連結部材の一実施例を示す側面図である。
【図６】本発明の他の実施例を示す斜視図である。
【図７】本発明の他の実施例を示す斜視図である。
【図８】本発明の他の実施例を示す斜視図である。
【図９】従来の上下ベンド屋根形カバーを示す分解斜視図である。
【図１０】従来の不具合を示す側面図である。
【符号の説明】
【００３４】
Ｐ  ラック            Ｐ１  親桁
Ｑ  収納部材  
Ｒ  止着ボルト
Ｓ  カバー止め金具
Ｔ  上下自在継ぎ金具  Ｔ１  連結ボルト  
１０  直線部被覆体    １１  連結端部
１２  固定部材
１３  ヒンジ
１４  屈曲片
１５  ボルト挿通孔
２０  屈曲部被覆体    ２１  連結端部
２２  ヒンジ
２３  側板
３０  隙間被覆体      ３１  水平側縁３１
３２  垂直側縁３２
３３  角度調整側縁３３
４０  蝶番
５０  連結部材        ５１  連結ボルト
５２  クリップナット
５３  座金
１００  屋根形カバー  
１１０  屈曲片
２００  上下ベンド屋根形カバー  
２１０  山折状カバー
２２０  谷折状カバー
２３０  短尺カバー  
３００  上下ベンド自在屋根形カバー
【図１】
2006211860.tif 000003
【図２】
2006211860.tif 000004
【図３】
2006211860.tif 000005
【図４】
2006211860.tif 000006
【図５】
2006211860.tif 000007
【図６】
2006211860.tif 000008
【図７】
2006211860.tif 000009
【図８】
2006211860.tif 000010
【図９】
2006211860.tif 000011
【図１０】
2006211860.tif 000012